(57)【特許請求の範囲】
【請求項１】
商品を陳列する陳列棚板上に設置される仕切部材を備える仕切板であって、
前記仕切部材の端部から前記陳列棚板の表面より下方に固定部材を有し、
前記固定部材は、
陳列商品表示具を取り付けるための溝に差し込まれた前記固定部材を、溝の内面に向けて押し付ける押付板と、
前記溝の内面に設けられた係止部に係止する係止爪とを備えることを特徴とする仕切板。
【請求項２】
陳列商品表示具を取り付けるための溝を備える陳列棚板であって、
前記溝は、該溝の内面に請求項１に記載の仕切板の係止爪が係止するための係止部を備えることで、前記固定部材を把持する固定部材把持部となることを特徴とする陳列棚板。
【請求項３】
前記係止部は、前記溝に取り付けられる陳列商品表示具の係止部であることを特徴とする請求項２に記載の陳列棚板。
【請求項４】
商品を陳列する陳列棚板と商品を分別する仕切板とを備える商品陳列ユニットであって、
請求項２又は３に記載の陳列棚板上に、請求項１に記載の仕切板を複数配置し、
陳列棚板上の商品を分別して陳列することを特徴とする商品陳列ユニット。
【発明の詳細な説明】
【技術分野】
【０００１】
本願発明は、店舗等で商品を陳列する陳列棚板と、商品を分別する仕切板と、それらを備えた商品陳列ユニットに関するものである。
【背景技術】
【０００２】
従来、この種の商品陳列ユニットとして、例えば、図７の（a）に示す商品陳列ユニット５０が知られている。この商品陳列ユニット５０は、陳列棚板４１と仕切板４２と陳列商品表示具４９とから構成されている。商品陳列ユニット５０の陳列棚板４１の前面側には、長尺状の固定部材把持部４８が設けられている。そして、仕切板４２の先端側の固定部材４４が固定部材把持部４８に把持されることで、仕切板４２は陳列棚板４１上に設置される。この仕切板４２は固定部材把持部４８の長尺方向に移動可能となっており、仕切板４２間の距離は、商品G１のサイズに合わせて調節される。また、仕切部材４３底部の両側には、基板４２aが形成され、仕切板４２が転倒するのを防止している。
【０００３】
次に、図７の（ｂ）では、仕切板４２の先端側の固定部材４４が固定部材把持部４８に把持される態様を示している。この固定部材把持部４８は、略コの字型形状に形成されており、上方から押し込まれた固定部材４４を把持するようになっている。したがって、仕切板４２は着脱が可能で、かつ、固定部材把持部４８の長尺方向への移動も可能である。
【０００４】
ここで、陳列棚板４１の前面には、陳列商品表示具４９が取り付けられているが、この陳列商品表示具４９を陳列棚板４１に取り付ける手段としては、陳列棚板４１の端部にL字型の部材４１ｂを取り付けて溝４１aを形成し、この溝４１aに陳列商品表示具４９の係止部４９aを係止させる手段が、通常よく採られている。そして、従来の商品陳列ユニット５０では、陳列商品表示具４９に固定部材把持部４８を更に形成している。
【０００５】
ところが、従来の商品陳列ユニット５０は、仕切板４２を取り付けるために、固定部材把持部４８を更に形成しなければならなかった。さらに、固定部材４４及び固定部材把持部４８といった仕切板４２を設置するのに必要な部材が、陳列棚板４１の表面上に位置するため、その分だけ陳列スペースが狭くなっていた。また、これらの部材が陳列棚板４１の前面に位置するため、見栄えもよくなかった。
【先行技術文献】
【特許文献】
【０００６】
【特許文献１】特願平１１−２００８７号
【発明の開示】
【発明が解決しようとする課題】
【０００７】
そこで、本願発明は上記問題に鑑み、別途、固定部材把持部を設ける必要がなく、陳列商品表示具を取り付けるための溝を利用して仕切板を設置することができるものであり、商品陳列スペースを狭めることなく、見栄えもよい仕切板、陳列棚板、及び商品陳列ユニットを提供することを目的としている。
【課題を解決するための手段】
【０００８】
本願発明の仕切板は、商品を陳列する陳列棚板上に設置される仕切部材を備える仕切板であって、前記仕切部材の端部から前記陳列棚板の表面より下方に固定部材を有し、
前記固定部材は、陳列商品表示具を取り付けるための溝に差し込まれた前記固定部材を、溝の内面に向けて押し付ける押付板と、前記溝の内面に設けられた係止部に係止する係止爪とを備えることを特徴としている。
【０００９】
上記特徴によれば、仕切板の固定部材は、陳列棚板の表面より下方に位置し、陳列商品表示板を取り付けるために設けられた溝内部に差し込むことが出来る。そのため、仕切板を設置しても、陳列棚板上の陳列スペースが狭くなることはないし、固定部材が溝内部に隠れるため、見栄えもよい。
【００１０】
さらに、本願発明の陳列棚板は、陳列商品表示具を取り付けるための溝を備える陳列棚板であって、前記溝は、該溝の内面に上記の仕切板の係止爪が係止するための係止部を備えることで、前記固定部材を把持する固定部材把持部となることを特徴としている。
【００１１】
上記特徴によれば、陳列商品表示具を取り付けるために用いられる溝が、その内面に、係止部を設けることによって、固定部材を把持する固定部材把持部となる。このように、陳列商品表示具を取り付けるために用いられる溝を利用しているので、別途、固定部材把持部を形成する必要がない。また、固定部材把持部が陳列棚板の表面上に位置しないので、陳列スペースが狭くなることはないし、見栄えもよい。
【００１２】
さらに、本願発明の陳列棚板は、前記係止部が、前記溝に取り付けられる陳列商品表示具の係止部であることを特徴としている。
【００１３】
上記特徴によれば、陳列商品表示具を取り付けるために用いる係止部を、そのまま、仕切板の係止爪が係止する係止部として利用することが出来る。従って、溝の内面に係止部を設ける必要がなく、コスト削減に寄与する。
【００１４】
さらに、本願発明の商品陳列ユニットは、商品を陳列する陳列棚板と商品を分別する仕切板とを備える商品陳列ユニットであって、上述の陳列棚板上に、本発明の仕切板を複数配置し、陳列棚板上の商品を分別して陳列することを特徴としている。
【００１５】
上記特徴によれば、陳列商品表示具を取り付けるための溝を利用して仕切板を設置することができ、仕切板を設置しても商品の陳列スペースが狭くなることはないし、見栄えもよい。
【発明の効果】
【００１６】
上記に記したように、本願発明の仕切板、陳列棚板、及び商品陳列ユニットによれば、陳列商品表示具を取り付けるための溝を利用して仕切板を設置することができ、商品の陳列スペースを狭めることなく、見栄えもよい。
【図面の簡単な説明】
【００１７】
【図１】本願発明の商品陳列ユニットの斜視図を示すものである。
【図２】本願発明の仕切板を示すもので、（a）は仕切板の正面図、（ｂ）は仕切板の側面図、（ｃ）は仕切板の平面図である。
【図３】（a）、（ｂ）は、本願発明の仕切板を陳列棚板に設置する態様を示すものである。
【図４】（a）、（ｂ）は、本願発明の他例の仕切板を陳列棚板に設置する態様を示すものである。
【図５】本願発明の他例の商品陳列ユニットの斜視図を示すものである。
【図６】（a）、（ｂ）は、本願発明の他例の商品陳列ユニットの斜視図を示すものである。
【図７】（a）、（ｂ）は、本願発明の背景技術の一例として商品陳列ユニットを示すものである。
【符号の説明】
【００１８】
１     陳列棚板
１a    溝
２     仕切板
３     仕切部材
４     固定部材
５     係止爪
６     押付板
７     商品落下防止壁
８     固定部材把持部
９     陳列商品表示具
１０    商品陳列ユニット
G      商品
【発明を実施するための形態】
【００１９】
以下に、本願発明の実施の形態について、図面を用いて説明する。
【００２０】
図１は、本願発明の商品陳列ユニット１０の斜視図を示すものである。商品陳列ユニット１０は、商品G１を陳列する陳列棚板１と、商品G１を分別する仕切板２を有している。この陳列棚板１の前面端部には、陳列商品表示具９を取り付けるための溝１aが設けられている。そして、この溝１aに仕切板２の固定部材４を差し込むことで、仕切板２は陳列棚板１上に設置される。仕切板２は左右方向（陳列棚板１の長尺方向）に移動可能なので、仕切板２間の距離を商品G１の大きさに合わせて、調節することが出来る。
【００２１】
また、仕切板２の前端部には、商品G１等が落下しないように、商品落下防止壁７が設けられている。なお、仕切板２全体は、透明なポリカーボネートなどの熱可塑性プラスチックで一体成形されている。
【００２２】
次に、図２では、本願発明の仕切板２の構成について詳しく説明する。図２の（a）は仕切板２の正面図、図２の（ｂ）は仕切板２の側面図、図２の（ｃ）は仕切板２の平面図である。
【００２３】
図２の（a）では、固定部材４は、仕切部材３を中心に対称の位置に、係止爪５及び押付板６をそれぞれ１つ備えている。この固定部材４の上側に商品落下防止壁７が延設されている。なお、係止爪５及び押付板６の位置及び数は、左右一対が望ましいが、適宜変更が可能である。
【００２４】
この押付板６は、その下端６aのみが固定部材４本体から連続して形成され、下端６aを基軸に、前後へ撓むことが出来る。また、押付板６の下方は、肉厚部４aとなっており、撓に対する耐久性が向上している。
【００２５】
図２の（ｂ）では、仕切部材３の底部３aより下方に、つまり仕切板２を陳列棚板に設置したときに、陳列棚板の表面よりも下方に、固定部材４が形成されている。この仕切部材３の底部３aは、陳列棚板の表面の形状に合わせて直線状になっている。
【００２６】
図２の（ｃ）は、仕切板２の平面図であるが、通常、仕切板２の転倒防止のため、陳列棚板の表面と面接触する基板（図７の基板４２aを参照）が、仕切部材３の底部３aの両側に設けられる。しかし、本願発明の仕切板２は、固定部材４の係止爪５及び押付板６によって、陳列棚板に十分に固定されるため、基板を用いなくても仕切板２の転倒を防止できる。ただし、本願発明の仕切板２は、基板を併用することを排除するものではない。
【００２７】
次に、図３では、本願発明の仕切板２を陳列棚板１に設置する態様について説明する。仕切板２の固定部材４には、係止爪５及び押付板６が陳列棚板１の前面（図面では左向き）へ向けて形成されている。一方、固定部材把持部８は、陳列商品表示具９を取り付けるための溝１aと、係止部９aとで構成されている。この溝１aは、陳列棚板１の前板１ｃの裏側からコの字型形状の部材１ｂを取り付け、この部材１ｂの前板１ｂ(１)と、底板１ｂ（２）と、陳列棚板１の前板１ｃとで囲まれる空間によって、構成される。そして、図３の（a）のように、固定部材４は固定部材把持部８に向かって矢印の方向に差し込まれ、仕切板２が陳列棚板１に設置される。
【００２８】
また、陳列商品表示具９は、硬質合成樹脂の塩化ビニル樹脂等で形成され係止部９aと表示部９ｂとを備えている。この係止部９aが溝１a内面に係止することで、陳列商品表示具９は陳列棚板１に取り付けられる。また、表示部９ｂは、その上方が開放されており、隙間に商品の値札等を挟んで使用される。
【００２９】
仕切板２の固定部材４を、固定部材把持部８に差し込むと、図３の（ｂ）に示す状態となる。押付板６が陳列商品表示具９の係止部９aに当接して撓むことで、押付板６に復元力が発生し、固定部材４は溝１a内面に矢印の方向へと押し付けられることになる。また、陳列商品表示具９の係止部９aに固定部材４の係止爪５が係止する。したがって、仕切板２が上方に引っ張られても、係合爪５及び押付板６によって、仕切板２が簡単に外れてしまうのを防止できる。
【００３０】
また、押付板６の押付力によって固定部材４と固定部材把持部８の間には摩擦が生じ、仕切板２の左右方向（陳列棚板１の長尺方向）への動きを抑制できる。この左右方向への動きの抑制は、商品を取り出す際に、商品が仕切板２に接触しても仕切板２が簡単に移動しない程度で、尚且つ、商品のサイズに合わせて仕切板２間の距離を調節するために、仕切板２を無理なく左右へ移動できる程度にすることが望ましい。
【００３１】
図３の（ｂ）では、固定部材４及び固定部材把持部８は陳列棚板１の表面上に位置しないので、陳列棚板１上の商品の陳列スペースを狭くすることがなく、見栄えもよい点が示されている。さらに、固定部材把持部８は、陳列商品表示具９を取り付けるための溝１a及び陳列商品表示具９の係止部９aをそのまま利用して構成されている。従って、従来の商品陳列ユニット５０（図７参照）ように、固定部材把持部を更に形成する必要がない。なお、図３の（ｂ）では陳列商品表示具９の係止部９aを利用しているが、陳列商品表示具９を用いない場合は、溝１aの内面に凸部を設けて係止部とする。
【００３２】
さらに、押付板６が可撓性を有しているため、仕切部材３と固定部材４との結合部４ｂを保護することが出来る。例えば、商品を取り出す際に、商品落下防止壁７に商品が接触して、仕切板２の前方（図３の左向き）に力が加わったとする。その場合に、固定部材４が固定部材把持部８に完全に固定されていると、結合部４ｂに力が集中し破損する虞がある。しかし、押付板６は可撓性を有しているので、力が加わっても固定部材４が前方に移動して力を吸収するので、結合部４ｂは保護される。
【００３３】
次に、図４では、本願発明の他例の仕切板１２を陳列棚板１１に設置している。図４の（a）では、固定部材１４の押付板１６の形成方向が、図３に示す固定部材４の押付板６の形成方向とは反対になっていること以外は、全て同じ構成である。
【００３４】
そして、この固定部材１４を固定部材把持部１８に向かって矢印の方向に差し込むと、図４の（ｂ）に示す状態となる。押付板１６が溝１１aの内面に当接して撓むことで押付板１６に復元力が発生し、固定部材１４は溝１１a内面に矢印の方向へと押し付けられることになる。ここで、図４の（ｂ）の固定部材１４の押し付けられる方向は、図３の（ｂ）の固定部材４の押し付けられる方向とは反対である。そのため、係止爪１５が係止部１９aにより係止しやすくなる。
【００３５】
図４の（a）及び（b）では、押付板１６の上端に突起部１６ｂが設けられている。その理由は、固定部材１４を差し込んでいくと、押付板１６は、押付板１６の下方から徐々に溝１１a内面に当接して撓んでいくため、図４の（ｂ）のように、完全に差し込まれた後には、押付板１６の中腹部１６ｃ周辺のみが溝１１a内面に当接することになる。したがって、突起部１６ｂを設けることによって完全に差し込まれた後でも、押付板１６の突起部１６ｂ及び中腹部１６ｃの二箇所が、溝１１a内面に当接するのでより安定した設置が可能となる。なお、図３の押付板６の上端にも突起部が設けられているが、同様の理由によるものである。
【００３６】
次に、図５では、本願発明の他例の商品陳列ユニット３０を示している。この商品陳列ユニット３０の仕切板２２は、図１に示す商品陳列ユニット１０の仕切板２の商品落下防止壁７が除かれていること以外は、すべて同じ構成である。図１のように、商品落下防止壁７を備えていると、図５に示す背の低い箱型の商品G２を取り出す際に、商品落下防止壁７を乗り越えるように商品G２を取り出さなければならず、不便である。よって、図５に示すように、背の低い箱型の商品G２を陳列する場合は、仕切板２２を用いると、商品をよりスムーズに取り出すことが出来る。
【００３７】
次に、図６の（a）では、本願発明の他例の商品陳列ユニット４０を示している。仕切板３２は、陳列棚板３１の両端に使用するものであり、仕切部材３３の側面に設置補助具３３ｂが設けられている点が、図１〜図５で示す仕切板とは異なる。
【００３８】
図６の（ｂ）では、仕切板３２のみを示している。仕切板３２の前端部には、係止爪３５及び押付板３６を備えた固定部材３４が設けられており、固定部材把持部が固定部材３４を把持することで、陳列棚板３１上に仕切板３２は設置される。また、設置補助具３３ｂには、陳列棚板３１の側板３１ｄの下端に係止する係止爪３３ｃと、側板３１ｄの裏側に回り込んで係止する係止爪３３ｄが設けられている。
【００３９】
なお、本願発明の仕切板、陳列棚板、及び商品陳列ユニットは、上記の実施例に限定されず、特許請求の範囲に記載された範囲、実施形態の範囲で、種々の変形例、組み合わせが可能であり、これらの変形例、組み合わせもその権利範囲に含むものである。
【産業上の利用可能性】
【００４０】
本願発明の仕切板、陳列棚板、及び商品陳列ユニットは、見栄えがよく商品陳列スペースを狭めることないように商品を陳列することが要請される産業分野に利用することができる。
【図１】
0005572063.tif 000002
【図２】
0005572063.tif 000003
【図３】
0005572063.tif 000004
【図４】
0005572063.tif 000005
【図５】
0005572063.tif 000006
【図６】
0005572063.tif 000007
【図７】
0005572063.tif 000008